(57)【要約】【課題】  油溜りの溝を簡単容易に設けることができ、かつ、チェーン全体のコストを安価にできるチェーン用連結ピンを提供すること。【解決手段】  内外リンクプレート２，２、５，５を連結するためのチェーン用連結ピン１であって、該連結ピン１の外周に、油溜りとなる油溝１ｂを設けた。【選択図】図１
0003126970.tif 000002
【実用新案登録請求の範囲】
【請求項１】
内外リンクプレートを連結するためのチェーン用連結ピンであって、該連結ピンの外周に、油溜りとなる油溝が設けられていることを特徴とするチェーン用連結ピン。
【請求項２】
油溝が連結ピンの長さ方向全長にわたって設けられていると共に、この油溝が、固定又は回転伸線ダイを通過させて線材から所定径の連結ピンを成形する際、伸線ダイに設けられた突起により、直線溝形状、又は螺旋溝形状に形成されることを特徴とする請求項１に記載のチェーン用連結ピン。
【請求項３】
油溝が連結ピンの長さ方向全長にわたって設けられていると共に、固定、又は回転伸線ダイを通過させて線材から所定径の連結ピンを成形する際、上記油溝が伸線ダイに設けられた突起により、直線溝形状、又は螺旋溝形状に形成されることを特徴とする請求項１に記載のチェーン用連結ピン。
【考案の詳細な説明】
【技術分野】
【０００１】  本考案は、内外リンクプレートを連結するためのチェーン用連結ピンに関する。
【背景技術】
【０００２】  従来、この種のチェーンは、たとえば図８に示すように、相対向する内側リンクプレート２，２の長さ方向両端部に形成される貫通孔２１，２１間にローラー３が介装されると共に、貫通孔２１，２１とローラー３とにブッシュ４が挿通される一方、内側リンクプレート２，２の外面に、外側リンクプレート５，５の一端部を両者の貫通孔２ａ，２ａと貫通孔５ａ，５ａとがそれぞれ一致するように宛がい、その状態で連結ピン１０を外側リンクプレート５，５及びブッシュ４に嵌合し、かつ、その両端部をかしめ、かしめ部１０ａ，１０ａを設けることにより内側リンクプレート２，２と外側リンクプレート５，５とを連結するように構成されている。【０００３】  また、チェーンによる伝達機能が円滑に発揮できるように連結ピン１０に嵌合するブッシュ４の内面に油溜りの溝４１を複数個設けて、これら油溜りの溝４１によりチェーンの摩擦面に潤滑油を供給できるようになされている。
【考案の開示】
【考案が解決しようとする課題】
【０００４】  ところが、上記した従来のチェーンによれば、ブッシュ４の内面に油溜りの溝４１を設けるようにしているため、その加工が困難で経済的に高くつく欠点があった。特に、例えば自動車のバルブを駆動する際に用いられるチェーンにあっては、そのブッシュの内径が５ｍｍ以下で、該ブッシュ４の小径内面に油溜りの溝４１を加工することは極めて困難であった。【０００５】  そこで、本考案は、油溜りの溝を簡単容易に設けることができ、かつ、チェーン全体のコストを安価にできるチェーン用連結ピンの提供を課題とする。
【課題を解決するための手段】
【０００６】  上記した問題を解決するために、本願の請求項１に記載の考案は、内外リンクプレートを連結するためのチェーン用連結ピンであって、該連結ピンの外周に、油溜りとなる油溝が設けられていることを特徴とする。【０００７】  また、本願の請求項２に記載の考案は、請求項１に記載の油溝が連結ピンの長さ方向全長にわたって設けられていると共に、固定、又は回転伸線ダイを通過させて線材から所定径の連結ピンを成形する際、上記油溝が伸線ダイに設けられた突起により、直線溝形状、又は螺旋溝形状に形成されることを特徴とする。【０００８】  さらに、本願の請求項３に記載の考案は、請求項１に記載の油溝が連結ピンの長さ方向中間部に設けられると共に、この油溝が、転造ダイにより直線溝形状、又は螺旋溝形状に形成されることを特徴とする。
【考案の効果】
【０００９】  本考案によれば、内外リンクプレートを連結するためのチェーン用連結ピンの外周に、油溜りとなる油溝が設けられているから、この油溝によりチェーンの摩擦面への潤滑油の供給を良好に行うことができながら、油溝を連結ピンの外周に簡単容易に設けることができる。その結果、チェーン全体のコストを安価にできる。【００１０】  また、油溝を連結ピンの全長にわたって設けるようにすれば、油溝内への潤滑油の補充が容易に行えると共に、ブッシュのみならず外側リンクプレートの摩擦面にも積極的に潤滑油を供給することが可能となる。また、その場合、油溝を、固定又は回転伸線ダイを通過する際伸線ダイに設けられた突起により、直線溝形状、又は螺旋溝形状に形成するようにすれば、伸線加工により連結ピンを成形するとき、これと同時に油溝を連結ピンの外周に簡単容易に設けることができる。その結果、チェーン全体のコストを安価にできる。【００１１】  さらに、油溝を連結ピンの長さ方向中間部に設けると共に、油溝を転造ダイにより直線溝形状、又は螺旋溝形状に形成するようにすれば、油溝からチェーンの摩擦面に潤滑油を供給することができながら、油溝を連結ピンの軸径に影響されることなく転造ダイにより簡単容易に直線溝形状、又は螺旋溝形状に形成することができる。その結果、チェーン全体のコストを安価にできる。
【考案を実施するための最良の形態】
【００１２】  以下、本考案の実施の形態を図に基づいて説明する。
図１は本考案に係るチェーン用連結ピンを適用したチェーンの縦断面図を示すもので、チェーンＡは、基本的には相対向する内側リンクプレート２，２の長さ方向両端部に形成される貫通孔２１，２１間にローラー３が介装されると共に、貫通孔２１，２１とローラー３とにブッシュ４が挿嵌される一方、内側リンクプレート２，２の外面に、外側リンクプレート５，５の一端部を両者の貫通孔２ａ，２ａと貫通孔５ａ，５ａとがそれぞれ一致するように宛がい、その状態でチェーン用連結ピン１を外側リンクプレート５，５及びブッシュ４に嵌合し、かつ、その両端部をかしめ、かしめ部１ａ，１ａを設けることにより内側リンクプレート２，２と外側リンクプレート５，５とを連結するように構成している。【００１３】  そして、本考案は、上記したチェーンＡにおけるチェーン用連結ピン１の外周に油溜りとなる複数の油溝１ｂ，１ｂを長さ方向全長にわたって螺旋形状に設けたのである。その場合、固定、又は回転伸線ダイを通過させて線材から所定径の連結ピン１を成形する際、伸線ダイ（図示せず）に設けられた突起により、油溝１ｂ，１ｂを同時に直線溝形状、又は螺旋溝形状に形成するようにしたのである。また、連結ピン１の両端部をかしめ止めした場合、図１に示すようにかしめ部１ａ，１ａにおける油溝１ｂ，１ｂはつぶれてしまうことになる。なお、連結ピン１の抜け止め手段としては両端部をかしめる他、たとえばワッシャ等の抜け止め手段を用いて抜け止めするように構成してもよいことは勿論である。【００１４】  斯くして、本考案によれば、内外リンクプレート２，２，５，５を連結するためのチェーン用連結ピン１の外周に、油溜りとなる油溝１ｂ，１ｂが設けられているから、例えば自動車のバルブを駆動する際に用いられるチェーンＡとして使用する場合、油溝１ｂ，１ｂ内への潤滑油の補充が容易に行えると共に、ブッシュ４１の内面のみならず外側リンクプレート５，５の貫通孔５ａ，５ａ内面に積極的に潤滑油を供給することが可能となる。また、上記連結ピン１の外周に油溝１ｂ，１ｂを設けるあたっては、回転伸線ダイを通過させて線材から所定径の連結ピン１を成形する際、伸線ダイに設けられた突起により、連結ピン１の成形と同時に油溝１ｂ，１ｂを螺旋溝形状に形成するようにしたので、油溝１ｂ，１ｂをチェーン連結ピン１の外周に簡単容易に設けることができる。その結果、チェーンＡ全体のコストを安価にできる。【００１５】  以上の実施の形態では、螺旋溝形状の油溝１ｂを連結ピン１の全長にわたって設けるようにしたけれども、例えば図３及び図４に示すように直線溝形状の油溝１ｃを全長にわたって設けるようにしてもよい。その場合、固定伸線ダイを通過させて線材から所定径の連結ピン１を成形する際、伸線ダイ（図示せず）に設けられた複数の突起により、連結ピン１の成形と同時に複数の油溝１ｃを直線溝形状に形成すればよい。このように構成した場合にも先に述べた実施の形態と同様の作用効果が得られる。【００１６】  また、油溝は連結ピン１の全長にわたって設ける他、図５，６又は図７に示すように油溝１ｄ又は１ｅを連結ピン１の長さ方向中間部に設けるようにしてもよい。その場合、油溝１ｄ又は１ｅは連結ピン１の成形後、���造ダイにより連結ピン１の外周に直線溝形状、又は螺旋溝形状を形成すればよい。このように構成した場合にも油溝１ｄ又は１ｅからチェーンＡの摩擦面に潤滑油を供給することができながら、油溝１ｂを連結ピン１の軸径に何ら影響されることなく転造ダイにより簡単容易に直線溝形状、又は螺旋溝形状に形成することができる。その結果、チェーン全体のコストを安価にできる。
【図面の簡単な説明】
【００１７】
【図１】  本考案のチェーン用連結ピンを適用したチェーンの縦断面図である。
【図２】  同チェーン用連結ピンの正面図である。
【図３】  別の実施の形態に係るチェーン用連結ピンの正面図である。
【図４】  同チェーン用連結ピンの縦断面図である。
【図５】  また、別の実施の形態に係るチェーン用連結ピンの正面図である。
【図６】  同チェーン用連結ピンの縦断面図である。
【図７】  さらに、別の実施の形態に係るチェーン用連結ピンの正面図である。
【図８】  従来の説明図である。
【符号の説明】
【００１８】１        チェーン用連結ピン
１ｂ      油溝
１ｃ      油溝
１ｄ      油溝
１ｅ      油溝
２        内側リンクプレート
５        外側リンクプレート
【図１】
0003126970.tif 000003
【図２】
0003126970.tif 000004
【図３】
0003126970.tif 000005
【図４】
0003126970.tif 000006
【図５】
0003126970.tif 000007
【図６】
0003126970.tif 000008
【図７】
0003126970.tif 000009
【図８】
0003126970.tif 000010